(57)【要約】【課題】  接続部部品の両側に接続された光ファイバを簡単な間仕切りをつけた箱の中に十分に緩く巻いて入れるだけで、クロージャのような用途には小型化も取扱い易さの改善も不十分で、本格的に小型化した、取扱い易い光ファイバ保持部品の実現が強く望まれていた。【解決手段】  弾性体の突起を利用した光ファイバ収納部と接続部部品収納部を弾性体の板状物体の表面に形成するとともに、８の字形に光ファイバを巻回できる光ファイバ収納具を使用して、光ファイバの巻回方向を自由に変えることができ、両方の光ファイバの長さの違いにも簡単に対処できるようにして、本格的に小型化した、取扱い易い光ファイバ保持部品を実現した。【選択図】  図１
2005338535.tif 000002
【特許請求の範囲】
【請求項１】
両端に光ファイバを接続してある部品（以下、接続部部品ともいう）と、前記接続部部品の一方の側に接続されている第１の光ファイバと、前記接続部部品の他方の側に接続されている第２の光ファイバとを収納することができる光ファイバ保持部品において、前記光ファイバ保持部品は、前記第１の光ファイバと第２の光ファイバの少なくとも一方を巻回させて収納することができる光ファイバ収納部を少なくとも２つと前記接続部部品を収納することができる接続部部品収納部を少なくとも１つ有しており（以下、前記光ファイバ収納部に収納される光ファイバや前記接続部部品収納部に収納される接続部部品のことを、単に、被収納物ともいう）、前記光ファイバ保持部品は板状の形状をしており、その板状の形状の長さ方向の寸法及び光ファイバ保持部品の長さ方向に直交する２つの方向のうちで大きな寸法を有する方の方向である幅方向の平均寸法に対して前記光ファイバ保持部品の長さ方向と前記光ファイバ保持部品の幅方向とに直交する方向の寸法である厚み方向の平均寸法が明確に小さい形状（以下、長さ方向の寸法と幅方向の平均寸法に対して厚み方向の平均寸法が明確に小さい形状を平板状ともいう）をしており、前記平板状の光ファイバ保持部品の少なくとも一方の表面側あるいは前記平板状の光ファイバ保持部品の少なくとも一方の表面側とそれに続いて形成されている前記平板状の光ファイバ保持部品の少なくとも一方の側面側（以下、前記平板状の光ファイバ保持部品の一方の表面側あるいは前記平板状の光ファイバ保持部品の一方の表面側とそれに続いて形成されている前記平板状の光ファイバ保持部品の少なくとも一方の側面側のことを、単に、光ファイバ保持部品の一方の特定面側ともいう）から被収納物の収納もしくは取り出しを行うことができるように、前記平板状の光ファイバ保持部品の少なくとも一方の特定面側に前記光ファイバ収納部と前記接続部部品収納部の少なくとも一方を有しており、前記少なくとも２つの光ファイバ収納部のうちの少なくとも１つの光ファイバ収納部には弾性体の突起が複数配置されており、当該光ファイバ収納部に巻回させて収納する光ファイバの長さ方向になる方向である当該光ファイバ収納部の周方向に直交するとともに前記光ファイバ収納部の周方向と当該光ファイバ収納部の外側に向かう方向の双方に直交する方向を第１の方向と定義し、前記第１の方向に直交する２つの方向のうちの当該光ファイバ収納部の外側に向かう方向を第２の方向と定義し、前記第１の方向と第２の方向とに直交する前記光ファイバ収納部の周方向を第３の方向と定義するとき、複数の前記弾性体の突起は、その第１〜第３の方向への投影成分が第１の方向において最大になる突起であり、前記少なくとも２つの光ファイバ収納部のうちの２つの光ファイバ収納部は、その双方を利用して光ファイバを８の字形に巻回させて保持することができるように配置されている光ファイバ収納部（以下、それぞれを第１の光ファイバ収納部ともいう）であることを特徴とする光ファイバ保持部品。
【請求項２】
請求項１に記載の光ファイバ保持部品において、互いに隣り合った少なくとも２つの前記第１の光ファイバ収納部が互いに重ならない位置関係に配置されていることを特徴とする光ファイバ保持部品。
【請求項３】
請求項１または２に記載の光ファイバ保持部品において、複数の前記弾性体の突起は、その先端部から付け根部分の方向へ３分の１以内の寸法の部分を光ファイバ心線で撓ませたときに、当該光ファイバ心線を損傷することなく３０°以上の角度に撓ませることができる柔らかさの突起であることを特徴とする光ファイバ保持部品。
【請求項４】
請求項１〜３のいずれかに記載の光ファイバ保持部品において、少なくとも１つの前記光ファイバ収納部に配置されている主要な弾性体の突起と前記接続部部品収納部に配置されている弾性体の少なくとも一部が、根本の最大寸法よりも長さの方が長い棒状あるいは板状の弾性体の突起であることを特徴とする光ファイバ保持部品。
【請求項５】
請求項１〜４のいずれかに記載の光ファイバ保持部品において、少なくとも１つの前記光ファイバ収納部に配置されている複数の弾性体の突起のうちの主要な弾性体の突起は、当該光ファイバ収納部に光ファイバを収納したときに生じる光ファイバが広がろうとする動きを抑制することができる突起であることを特徴とする光ファイバ保持部品。
【請求項６】
請求項１〜５のいずれかに記載の光ファイバ保持部品において、前記接続部部品収納部が少なくとも２方向に内壁を用いて構成されていることを特徴とする光ファイバ保持部品。
【請求項７】
請求項６に記載の光ファイバ保持部品において、前記接続部部品収納部の前記２つの内壁が対向して配置された内壁であることを特徴とする光ファイバ保持部品。
【請求項８】
請求項１〜７のいずれかに記載の光ファイバ保持部品において、前記接続部部品収納部の少なくとも一部に、そこに収納する接続部部品を弾性力で押しつけるかあるいは挟み込んで保持することができる弾性体が配置されていることを特徴とする光ファイバ保持部品。
【請求項９】
請求項８に記載の光ファイバ保持部品において、前記接続部部品収納部に配置されている弾性体が前記接続部部品収納部の対向して配置された内壁のうちの少なくとも一方の内壁の少なくとも一部分であることを特徴とする光ファイバ保持部品。
【請求項１０】
請求項８または９に記載の光ファイバ保持部品において、前記接続部部品収納部に配置されている弾性体が突起であることを特徴とする光ファイバ保持部品。
【請求項１１】
請求項１〜１０のいずれかに記載の光ファイバ保持部品において、前記接続部部品収納部全体が弾性体で形成されていることを特徴とする光ファイバ保持部品。
【請求項１２】
請求項１〜１１のいずれかに記載の光ファイバ保持部品において、前記少なくとも２つの光ファイバ収納部のうちの少なくとも１つの光ファイバ収納部は、光ファイバが収納される部分に少なくとも１つの内壁を有しており、前記内壁の表面の平均値としての前記第１〜第３の方向への各投影成分が前記第２の方向において最大になることを特徴とする光ファイバ保持部品。
【請求項１３】
請求項１〜１２のいずれかに記載の光ファイバ保持部品において、前記少なくとも１つの光ファイバ収納部の内壁は、前記光ファイバ保持部品の表面と裏面のいずれかに平行な中空円盤状の壁状構造物の一部であることを特徴とする光ファイバ保持部品。
【請求項１４】
請求項１〜１３のいずれかに記載の光ファイバ保持部品において、少なくとも１つの前記光ファイバ収納部には、そこに配置されている主要な弾性体の突起の長さ方向に平行な主成分をもつ側壁が配置されていないことを特徴とする光ファイバ保持部品。
【請求項１５】
請求項１〜１４のいずれかに記載の光ファイバ保持部品において、少なくとも１つの前記光ファイバ収納部は、開口部と直交する方向に最大の投影寸法成分を有する一対の内壁を有していることを特徴とする光ファイバ保持部品。
【請求項１６】
請求項１〜１５のいずれかに記載の光ファイバ保持部品において、少なくとも１つの前記光ファイバ収納部は、その外方向または内方向のいずれかに形成された開口部を除いて内壁によって囲まれていることを特徴とする光ファイバ保持部品。
【請求項１７】
請求項１〜１６のいずれかに記載の光ファイバ保持部品において、少なくとも１つの前記光ファイバ収納部は、前記平板状の光ファイバ保持部品の特定面側から前記平板状の光ファイバ保持部品の厚み方向に切った断面の形状が一方向に開口部を有するコの字型であり、前記平板状の光ファイバ保持部品の上方から見た前記光ファイバ収納部の周方向の複数箇所において、前記開口部の近傍に弾性体の突起が形成されていることを特徴とする光ファイバ保持部品。
【請求項１８】
請求項１〜１７のいずれかに記載の光ファイバ保持部品において、少なくとも１つの前記光ファイバ収納部は、少なくともその一部が少なくとも１つの前記接続部部品収納部の少なくとも一部と重なるように形成されていることを特徴とする光ファイバ保持部品。
【請求項１９】
請求項１〜１８のいずれかに記載の光ファイバ保持部品において、前記光ファイバ保持部品は前記光ファイバ保持部品の一方の表面の垂直上方から見た輪郭形状がおおむね細長形状であることを特徴とする光ファイバ保持部品。
【請求項２０】
請求項１９に記載の光ファイバ保持部品において、前記光ファイバ保持部品は前記光ファイバ保持部品の一方の表面の垂直上方から見た輪郭形状が長円形もしくは楕円形であることを特徴とする光ファイバ保持部品。
【請求項２１】
請求項１９に記載の光ファイバ保持部品において、前記光ファイバ保持部品は前記光ファイバ保持部品の一方の表面の垂直上方から見た輪郭形状が楕円形もしくは長円形などの細長形状の外周部に一部切欠（以下、外周部切欠ともいう）がある形状であることを特徴とする光ファイバ保持部品。
【請求項２２】
請求項２１に記載の光ファイバ保持部品において、前記光ファイバ保持部品は、前記光ファイバ保持部品の一方の表面の垂直上方から見た光ファイバ保持部品の輪郭形状が、互いに隣り合った少なくとも２つの前記第１の光ファイバ収納部が配置されている間の部分に対応する前記光ファイバ保持部品の外周部分に、外周部切欠として、外周形状としての窪みを有する形状であることを特徴とする光ファイバ保持部品。
【請求項２３】
請求項１〜２２のいずれかに記載の光ファイバ保持部品において、前記平板状の光ファイバ保持部品の特定面側の外周近傍に周回して弾性体の突起が複数配置されていることを特徴とする光ファイバ保持部品。
【請求項２４】
請求項１〜２３のいずれかに記載の光ファイバ保持部品において、前記平板状の光ファイバ保持部品の特定面側の外周近傍に周回して弾性体の壁状構造物が形成されていることを特徴とする光ファイバ保持部品。
【請求項２５】
請求項１〜２４のいずれかに記載の光ファイバ保持部品において、前記第１の光ファイバを収納する前記第１の光ファイバ収納部が１本の光ケーブルとして形成されている光ファイバを収納する光ファイバ収納部であり、前記第２の光ファイバを収納する前記第１の光ファイバ収納部が前記第１の光ファイバから分岐された複数本の光ファイバのうちの少なくとも１本の光ファイバを収納する光ファイバ収納部であることを特徴とする光ファイバ保持部品。
【請求項２６】
請求項１〜２５のいずれかに記載の光ファイバ保持部品において、前記光ファイバ保持部品の一方の特定面側に前記第１の光ファイバ収納部と前記接続部部品収納部の双方が配置されていることを特徴とする光ファイバ保持部品。
【請求項２７】
請求項１〜２６のいずれかに記載の光ファイバ保持部品において、前記接続部部品収納部は、前記平板状の光ファイバ保持部品の互いに隣り合った少なくとも２つの前記第１の光ファイバ収納部が配置されている特定面側に、前記平板状の光ファイバ保持部品の表面の上方から見て、前記互いに隣り合った少なくとも２つの第１の光ファイバ収納部の双方の一部と少なくとも一部が重なる位置関係に配置されているとともに、前記平板状の光ファイバ保持部品の特定面側の厚み方向に関して前記接続部部品収納部が前記互いに隣り合った少なくとも２つの第１の光ファイバ収納部よりも窪んで設けられていることを特徴とする光ファイバ保持部品。
【請求項２８】
請求項２７に記載の光ファイバ保持部品において、前記接続部部品収納部は、その底面が前記互いに隣り合った少なくとも２つの第１の光ファイバ収納部の底部もしくは下面よりも４ｍｍよりも大きく前記平板状の光ファイバ保持部品の特定面側の厚み方向に窪んで設けられていることを特徴とする光ファイバ保持部品。
【請求項２９】
請求項１〜２８のいずれかに記載の光ファイバ保持部品において、前記平板状の光ファイバ保持部品の一方の特定面側に少なくとも２つの前記第１の光ファイバ収納部が配置されており、２つの前記第１の光ファイバ収納部は、前記平板状の光ファイバ保持部品の一方の特定面側の光ファイバ保持部品の表面の長さ方向の両端部もしくは両端部近傍に配置されており、少なくとも一つの前記接続部部品収納部は、前記平板状の光ファイバ保持部品の前記一方の特定面側の光ファイバ保持部品の表面側と側面側のいずれかあるいは双方にわたって、前記平板状の光ファイバ保持部品の長さ方向に伸びて配置されており、前記平板状の光ファイバ保持部品の厚み方向に関して前記平板状の光ファイバ保持部品の表面から裏面側に近づく方向を低い位置と表現して、前記接続部部品収納部は、前記平板状の光ファイバ保持部品の厚み方向に関して、少なくとも一つの前記第１の光ファイバ収納部よりも低い位置に窪んで設けられていることを特徴とする光ファイバ保持部品。
【請求項３０】
請求項１〜２９のいずれかに記載の光ファイバ保持部品において、前記光ファイバ保持部品は細長形状で、その細長形状は、その長さ方向の一方の端部に円を２等分した一方の半円周を、長さ方向の他方の端部に円を２等分した他方の半円周を、双方が前記半円周の曲率中心が近い方向になるように配置し、両端に配置した双方の前記半円周の対向している端部をそれぞれ直線で結んだ形状である長円形の平板状であり、前記光ファイバ保持部品の少なくとも一方の特定面側に２つの前記第１の光ファイバ収納部と少なくとも１つの前記接続部部品収納部を有しており、２つの前記第１の光ファイバ収納部は、互いに重ならないように配置されているとともに前記接続部部品収納部と一部で重なって配置されており、前記接続部部品収納部は前記光ファイバ保持部品の幅方向周辺部に形成されており、前記接続部部品収納部は前記光ファイバ保持部品の長さ方向に長く、２つの前記第１の光ファイバ収納部の上壁面は、外周が円形であるとともに、そのおおむね半周は前記光ファイバ保持部品の長手方向の外周部輪郭とおおむね一致しており、前記光ファイバ保持部品の厚みは、接続部部品収納部の第１の光ファイバ収納部と重なっていない部分や、２つの前記第１の光ファイバ収納部の互いに重なっていない部分などの細部の構造部を除いて、おおむね同じ厚みになっていることを特徴とする光ファイバ保持部品。
【請求項３１】
請求項１〜３０のいずれかに記載の光ファイバ保持部品において、前記接続部部品収納部の外側の側壁は、前記光ファイバ保持部品の厚み方向に関して、隣接する前記第１の光ファイバ収納部の下面よりも高く形成されていることを特徴とする光ファイバ保持部品。
【請求項３２】
請求項１〜３１のいずれかに記載の光ファイバ保持部品において、前記接続部部品収納部に隣接する前記第１の光ファイバ収納部には、当該接続部部品収納部に収納する接続部部品の高さより低くない第１の光ファイバ収納部の下面が形成されていることを特徴とする光ファイバ保持部品。
【請求項３３】
請求項１〜３２のいずれかに記載の光ファイバ保持部品において、前記第１の光ファイバ収納部の上壁面には穴が形成されていることを特徴とする光ファイバ保持部品。
【請求項３４】
請求項１〜３３のいずれかに記載の光ファイバ保持部品において、前記光ファイバ保持部品の一方の特定面側に前記光ファイバ収納部が配置されているとともに他方の特定面側すなわち前記一方の特定面側の裏面側に相当する特定面側に前記接続部部品収納部が配置されており、前記光ファイバ保持部品の一方の特定面側に配置されている前記光ファイバ収納部と前記光ファイバ保持部品の他方の特定面側に配置されている前記接続部部品収納部との間に、前記光ファイバ保持部品の他方の特定面側に配置されている前記接続部部品収納部に収納されている接続部部品に接続されている光ファイバを前記光ファイバ保持部品の一方の特定面側に配置されている前記光ファイバ収納部に当該光ファイバを曲率半径が７．５ｍｍ以下にならないようにして、かつ、当該光ファイバ保持部品からその幅方向や長さ方向の外部に飛び出させることなく移動させることができる切り込み部が形成されていることを特徴とする光ファイバ保持部品。
【請求項３５】
請求項１〜３４のいずれかに記載の光ファイバ保持部品において、前記第１の光ファイバ収納部の複数の前記弾性体の突起は、光ファイバを挿入する方向あるいは光ファイバ収納部の開口部から奥に向かう方向に９０°±３０°（以下、おおむね直交して、ともいう）形成されていることを特徴とする光ファイバ保持部品。
【請求項３６】
請求項１〜３５のいずれかに記載の光ファイバ保持部品において、前記接続部部品収納部の幅方向に対向して配置されている側壁のうちの少なくとも一方の側壁は、当該接続部部品収納部の底面と鋭角をなしているとともに、当該接続部部品収納部の底面から離れるに従って当該接続部部品収納部の幅が狭くなるように形成されていることを特徴とする光ファイバ保持部品。
【請求項３７】
請求項１〜３６のいずれかに記載の光ファイバ保持部品において、少なくとも１つの前記第１の光ファイバ収納部の複数の弾性体の突起は、光ファイバ保持部品の厚み方向に関して上方から下方に向けて形成されていることを特徴とする光ファイバ保持部品。
【請求項３８】
請求項１〜３７のいずれかに記載の光ファイバ保持部品において、少なくとも１つの前記第１の光ファイバ収納部の複数の弾性体の突起は、光ファイバ保持部品の厚み方向に関して上方から下方に向けて形成されている突起と下方から上方に向けて形成されている突起であることを特徴とする光ファイバ保持部品。
【請求項３９】
請求項３８に記載の光ファイバ保持部品において、前記第１の光ファイバ収納部の、複数の、光ファイバ保持部品の厚み方向に関して上方から下方に向けて形成されている突起と下方から上方に向けて形成されている突起は対向して配置されているであることを特徴とする光ファイバ保持部品。
【請求項４０】
請求項１〜３９のいずれかに記載の光ファイバ保持部品において、前記接続部部品収納部の側壁の少なくとも一部が弾性体の突起を用いて構成されていることを特徴とする光ファイバ保持部品。
【請求項４１】
請求項１〜４０のいずれかに記載の光ファイバ保持部品において、前記光ファイバ保持部品は、輪郭が、（８２ｍｍ±３％）×（４０ｍｍ±３％）×（８ｍｍ±３％）の大きさを超えないことを特徴とする光ファイバ保持部品。
【請求項４２】
請求項１〜４１のいずれかに記載の光ファイバ保持部品において、少なくとも１つの前記第１の光ファイバ収納部に配置されている突起が、中心角がおおむね１０°になる位置に形成されていることを特徴とする光ファイバ保持部品。
【請求項４３】
請求項１〜４２のいずれかに記載の光ファイバ保持部品において、前記光ファイバ保持部品に、外部の接続部に接続することができる接続部（以下、外部接続部ともいう）が形成されていることを特徴とする光ファイバ保持部品。
【請求項４４】
請求項４３に記載の光ファイバ保持部品において、前記光ファイバ保持部品の前記外部接続部として、前記第１の光ファイバ収納部に形成された穴を利用していることを特徴とする光ファイバ保持部品。
【請求項４５】
請求項４３または４４に記載の光ファイバ保持部品において、前記光ファイバ保持部品の外部接続部として、前記光ファイバ保持部品を他の光ファイバ保持部品に着脱可能に接続することができる係合部が形成されていることを特徴とする光ファイバ保持部品。
【請求項４６】
請求項４３〜４５のいずれかに記載の光ファイバ保持部品において、前記光ファイバ保持部品の外部接続部が前記光ファイバ保持部品の外周部に形成されていることを特徴とする光ファイバ保持部品。
【請求項４７】
請求項１〜４６のいずれかに記載の光ファイバ保持部品において、前記光ファイバ保持部品が樹脂を用いた一体成形技術で形成されていることを特徴とする光ファイバ保持部品。
【請求項４８】
請求項４７に記載の光ファイバ保持部品において、前記光ファイバ保持部品がシリコーンゴムで形成されていることを特徴とする光ファイバ保持部品。
【請求項４９】
請求項４７に記載の光ファイバ保持部品において、前記光ファイバ保持部品がフッ素ゴムで形成されていることを特徴とする光ファイバ保持部品。
【発明の詳細な説明】
【技術分野】
【０００１】
本発明は、第１の光ファイバと、第１の光ファイバと第２の光ファイバの間に接続されている部品（以下、接続部部品ともいう）を介して接続された第２の光ファイバと、前記第１の光ファイバと第２の光ファイバの接続部にある前記接続部部品とを収納・保護することができる光ファイバ保持部品に関する。
【背景技術】
【０００２】
光通信における本線光ケーブル相互の接続、本線光ファイバケーブルからユーザビルへの分岐光ファイバケーブルの引き込み、あるいはユーザ個人宅へのドロップ光ファイバケーブルの引き込み等を行う際に、光ファイバケーブルの接続部を収納・保護する光ファイバ保持部品としてクロージャが使われている。
【０００３】
このようなクロージャに関しては多くの改善提案がなされている。
【０００４】
たとえば、特開２００２−３２８２４２（以下、特許文献１ともいう）には、光ファイバケーブルの接続作業、収納作業等を効率よく行える光ファイバケーブル接続用クロージャに関する改善提案が記載されている（たとえば、特許文献１の図５，６）。
【０００５】
特開２００４−１０２０７３（以下、特許文献２ともいう）には、光ファイバ心線の接続部を収納するためのファイバ接続部収納部と、光ファイバ心線の余長を収納するためのファイバ余長収納部とをクロージャ本体内における異なる領域に配置して、融着接続した多くの光ファイバ心線をクロージャ本体内に高密度に収納する光ケーブル接続用クロージャが記載されている。
【０００６】
特開２００３−２４０９７３（以下、特許文献３ともいう）には、分岐される光ファイバの長さが短い場合にも光ファイバ余長等を収納処理する光ファイバ接続収納トレイが提案されている。
【０００７】
これらの文献にも考慮されていることであるが、従来、光ファイバの分岐、引き込み等に関して、作業性が良く、各ファイバの識別が容易で、できるだけ小型にしたクロージャを実現しようとの試みがなされている。
【０００８】
しかしながら、光ファイバの曲げに起因する損失増大、硬さ、折れ易さなどの問題で、クロージャの小型化は不十分で、取扱い易さも不十分である。
【０００９】
オプトロニクス社発行の雑誌，ＯＰＴＲＯＮＩＫＳ，Ｎｏ．２６５（２００４．１）の１７８−１８３ページ（以下、非特許文献１ともいう）には、アクセス系光ケーブルと光アクセスクロージャに関しての回折が記載されている。非特許文献１の１８１ページには、各種光ファイバの曲げ特性が記載されている。それによると、ループ状にするときの許容曲げは、ＳＭＦでは直径６０ｍｍ、光ファイバＰｕｒｅＡｃｃｅｓｓでは３０ｍｍ、ＵｌｔｒａＡｃｃｅｓｓでは１５ｍｍとされており、不用意に指で引っかけたような曲げの場合は、それよりも小さい曲率に折り曲げても損失が比較的小さいことが記載されている。
【００１０】
多くの提案を見ると、実際には、前記許容曲げよりも小さな曲率にならないように光ファイバを取り扱うように、各種光ファイバ関連部品、装置が留意されていることが伺われる。
【００１１】
また、光ファイバは硬くて折れやすいため、その取扱いには十分な注意が必要である。
【００１２】
そのため、前記クロージャも、これら光ファイバの取扱いに十分な配慮をせざるを得ず、その小型化、取扱い易さに大きな制約を受けていた。
【００１３】
従来のクロージャにおける光ファイバと接続部の部品の収納の技術思想は、接続部の部品を保持部で固定し、光ファイバは緩く巻いて、巻いたときの形状をあまり制約しないで丸めて、丸めた光ファイバの所々にファイバを押さえる部品を配置して収納していた。
【００１４】
余長処理において、２ｍとか５ｍのように比較的短い光ファイバ自体の収納においても同様の問題があり、これらの問題を解決するためもあり、本発明の発明者は、特開２００１−３１１８３３（以下、特許文献４ともいう）と特開２００３−２２７９４０（以下、特許文献５ともいう）において、弾性体の突起を利用した小型の光ファイバ保持部品を提案した。
【００１５】
現在、光ファイバの分岐、引き込み等に使用されている接続部の部品の例としては、断面が４ｍｍ×４ｍｍで長さが４０ｍｍのものが用いられている。特許文献５と特許文献４の光ファイバ収納具を改善した光ファイバ保持部品で、光ファイバと光ファイバの間に接続された部品をも収納することが提案されているが、断面が４ｍｍ×４ｍｍで長さが４０ｍｍの前記接続部の部品をも収納しようとすると、１つの保持部品を使用する場合には保持部品の直径を大きくするか、光ファイバだけを２個の収納具に巻いたものを接続部部品を挟んで全体を収納するケースに入れて使用されていた。しかし、クロージャの場合のように、両方の光ファイバの接続部部品に接続されている端部とは反対側の端部が外部端子などに固定されている場合には、大型になる上に、使いにくいものであった。
【００１６】
【特許文献１】特開２００２−３２８２４２
【特許文献２】特開２００４−１０２０７３
【特許文献３】特開２００３−２４０９７３
【特許文献４】特開２００１−３１１８３３
【特許文献５】特開２００３−２２７９４０
【非特許文献１】丹治久，大杉哲也，”アクセス系光ケーブル及びクロージャの技術動向”，ＯＰＴＲＯＮＩＫＳ，Ｎｏ．２６５，ｐｐ．１７８−１８３（２００４．１）
【発明の開示】
【発明が解決しようとする課題】
【００１７】
以上説明したように、従来のクロージャや光ファイバ保持部品として提案されている光ファイバ保持部品は、接続部部品と接続された光ファイバを簡単な間仕切りをつけた箱の中に十分に緩く巻いて入れるだけか、光ファイバだけを２個の収納具に巻いたものを接続部部品を挟んで全体を収納するケースに入れて使用するものであり、クロージャのような用途には小型化も取扱い易さの改善も不十分で、本格的に小型化した、取扱い易い光ファイバ保持部品の実現が強く望まれていた。
【００１８】
本発明は、このような点に鑑みて成されたものであり、本発明の目的は、上記の問題を解決して、本格的に小型化した、取扱い易い光ファイバ保持部品を提供することにある。
【課題を解決するための手段】
【００１９】
前記のような諸課題を解決して、本格的に小型化した、取扱い易くて、信頼性の高い光ファイバ保持部品を実現するため、本発明では、技術思想として、前記各特許文献の技術思想とは異なり、光ファイバと光ファイバ間に接続部されている部品とを平板状の収納具に平面的に配置することからはじめ、光ファイバの束縛も無駄をなくして従来より狭い空間に収納する技術思想を用いた。
【００２０】
本発明の目的を達成するため、本発明の請求項１に記載の本発明の光ファイバ保持部品は、両端に光ファイバを接続してある部品（以下、接続部部品ともいう）と、前記接続部部品の一方の側に接続されている第１の光ファイバと、前記接続部部品の他方の側に接続されている第２の光ファイバとを収納することができる光ファイバ保持部品であり、前記光ファイバ保持部品は、前記第１の光ファイバと第２の光ファイバの少なくとも一方を巻回させて収納することができる光ファイバ収納部を少なくとも２つと前記接続部部品を収納することができる接続部部品収納部を少なくとも１つ有しており（以下、前記光ファイバ収納部に収納される光ファイバや前記接続部部品収納部に収納される接続部部品のことを、単に、被収納物ともいう）、前記光ファイバ保持部品は板状の形状をしており、その板状の形状の長さ方向の寸法及び光ファイバ保持部品の長さ方向に直交する２つの方向のうちで大きな寸法を有する方の方向である幅方向の平均寸法に対して前記光ファイバ保持部品の長さ方向と前記光ファイバ保持部品の幅方向とに直交する方向の寸法である厚み方向の平均寸法が明確に小さい形状（以下、長さ方向の寸法と幅方向の平均寸法に対して厚み方向の平均寸法が明確に小さい形状を平板状ともいう）をしており、前記平板状の光ファイバ保持部品の少なくとも一方の表面側あるいは前記平板状の光ファイバ保持部品の少なくとも一方の表面側とそれに続いて形成されている前記平板状の光ファイバ保持部品の少なくとも一方の側面側（以下、前記平板状の光ファイバ保持部品の一方の表面側あるいは前記平板状の光ファイバ保持部品の一方の表面側とそれに続いて形成されている前記平板状の光ファイバ保持部品の少なくとも一方の側面側のことを、単に、光ファイバ保持部品の一方の特定面側ともいう）から被収納物の収納もしくは取り出しを行うことができるように、前記平板状の光ファイバ保持部品の少なくとも一方の特定面側に前記光ファイバ収納部と前記接続部部品収納部の少なくとも一方を有しており、前記少なくとも２つの光ファイバ収納部のうちの少なくとも１つの光ファイバ収納部には弾性体の突起が複数配置されており、当該光ファイバ収納部に巻回させて収納する光ファイバの長さ方向になる方向である当該光ファイバ収納部の周方向に直交するとともに前記光ファイバ収納部の周方向と当該光ファイバ収納部の外側に向かう方向の双方に直交する方向を第１の方向と定義し、前記第１の方向に直交する２つの方向のうちの当該光ファイバ収納部の外側に向かう方向を第２の方向と定義し、前記第１の方向と第２の方向とに直交する前記光ファイバ収納部の周方向を第３の方向と定義するとき、複数の前記弾性体の突起は、その第１〜第３の方向への投影成分が第１の方向において最大になる突起であり、前記少なくとも２つの光ファイバ収納部のうちの２つの光ファイバ収納部は、その双方を利用して光ファイバを８の字形に巻回させて保持することができるように配置されている光ファイバ収納部（以下、それぞれを第１の光ファイバ収納部ともいう）であることを特徴とする光ファイバ保持部品になっている。
【００２１】
前記第１の光ファイバ収納部と接続部部品収納部の構成は，前記のような接続部部品とそれに接続されている第１の光ファイバと第２の光ファイバとを収納する光ファイバ保持部品の小型化と使い勝手の良さの向上には特に有効であり，この効果は，後述のシリコーンゴムなどを用いた一体成型技術を用いることにより一層顕著なものとなる。
【００２２】
本発明の請求項２に記載の本発明の光ファイバ保持部品は、請求項１に記載の光ファイバ保持部品において、互いに隣り合った少なくとも２つの前記第１の光ファイバ収納部が互いに重ならない位置関係に配置されていることを特徴とする光ファイバ保持部品になっている。
【００２３】
この２つの前記第１の光ファイバ収納部の配置により、収納の作業性を大幅に高めることができる。
【００２４】
本発明の請求項３に記載の本発明の光ファイバ保持部品は、請求項１または２に記載の光ファイバ保持部品において、複数の前記弾性体の突起は、その先端部から付け根部分の方向へ３分の１以内の寸法の部分を光ファイバ心線で撓ませたときに、当該光ファイバ心線を損傷することなく３０°以上の角度に撓ませることができる柔らかさの突起であることを特徴とする光ファイバ保持部品になっている。
【００２５】
本発明の請求項４に記載の本発明の光ファイバ保持部品は、請求項１〜３のいずれかに記載の光ファイバ保持部品において、少なくとも１つの前記光ファイバ収納部に配置されている主要な弾性体の突起と前記接続部部品収納部に配置されている弾性体の少なくとも一部が、根本の最大寸法よりも長さの方が長い棒状あるいは板状の弾性体の突起であることを特徴とする光ファイバ保持部品になっている。
【００２６】
本発明の請求項５に記載の本発明の光ファイバ保持部品は、請求項１〜４のいずれかに記載の光ファイバ保持部品において、少なくとも１つの前記光ファイバ収納部に配置されている複数の弾性体の突起のうちの主要な弾性体の突起は、当該光ファイバ収納部に光ファイバを収納したときに生じる光ファイバが広がろうとする動きを抑制することができる突起であることを特徴とする光ファイバ保持部品になっている。
【００２７】
本発明の請求項６に記載の本発明の光ファイバ保持部品は、請求項１〜５のいずれかに記載の光ファイバ保持部品において、前記接続部部品収納部が少なくとも２方向に内壁を用いて構成されていることを特徴とする光ファイバ保持部品になっている。
【００２８】
本発明の請求項７に記載の本発明の光ファイバ保持部品は、請求項６に記載の光ファイバ保持部品において、前記接続部部品収納部の前記２つの内壁が対向して配置された内壁であることを特徴とする光ファイバ保持部品になっている。
【００２９】
本発明の請求項８に記載の本発明の光ファイバ保持部品は、請求項１〜７のいずれかに記載の光ファイバ保持部品において、前記接続部部品収納部の少なくとも一部に、そこに収納する接続部部品を弾性力で押しつけるかあるいは挟み込んで保持することができる弾性体が配置されていることを特徴とする光ファイバ保持部品になっている。
【００３０】
本発明の請求項９に記載の本発明の光ファイバ保持部品は、請求項８に記載の光ファイバ保持部品において、前記接続部部品収納部に配置されている弾性体が前記接続部部品収納部の対向して配置された内壁のうちの少なくとも一方の内壁の少なくとも一部分であることを特徴とする光ファイバ保持部品になっている。
【００３１】
本発明の請求項１０に記載の本発明の光ファイバ保持部品は、請求項８または９に記載の光ファイバ保持部品において、前記接続部部品収納部に配置されている弾性体が突起であることを特徴とする光ファイバ保持部品になっている。
【００３２】
本発明の請求項１１に記載の本発明の光ファイバ保持部品は、請求項１〜１０のいずれかに記載の光ファイバ保持部品において、前記接続部部品収納部全体が弾性体で形成されていることを特徴とする光ファイバ保持部品になっている。
【００３３】
本発明の請求項１２に記載の本発明の光ファイバ保持部品は、請求項１〜１１のいずれかに記載の光ファイバ保持部品において、前記少なくとも２つの光ファイバ収納部のうちの少なくとも１つの光ファイバ収納部は、光ファイバが収納される部分に少なくとも１つの内壁を有しており、前記内壁の表面の平均値としての前記第１〜第３の方向への各投影成分が前記第２の方向において最大になることを特徴とする光ファイバ保持部品になっている。
【００３４】
本発明の請求項１３に記載の本発明の光ファイバ保持部品は、請求項１〜１２のいずれかに記載の光ファイバ保持部品において、前記少なくとも１つの光ファイバ収納部の内壁は、前記光ファイバ保持部品の表面と裏面のいずれかに平行な中空円盤状の壁状構造物の一部であることを特徴とする光ファイバ保持部品になっている。
【００３５】
本発明の請求項１４に記載の本発明の光ファイバ保持部品は、請求項１〜１３のいずれかに記載の光ファイバ保持部品において、少なくとも１つの前記光ファイバ収納部には、そこに配置されている主要な弾性体の突起の長さ方向に平行な主成分をもつ側壁が配置されていないことを特徴とする光ファイバ保持部品になっている。
【００３６】
本発明の請求項１５に記載の本発明の光ファイバ保持部品は、請求項１〜１４のいずれかに記載の光ファイバ保持部品において、少なくとも１つの前記光ファイバ収納部は、開口部と直交する方向に最大の投影寸法成分を有する一対の内壁を有していることを特徴とする光ファイバ保持部品になっている。
【００３７】
本発明の請求項１６に記載の本発明の光ファイバ保持部品は、請求項１〜１５のいずれかに記載の光ファイバ保持部品において、少なくとも１つの前記光ファイバ収納部は、その外方向または内方向のいずれかに形成された開口部を除いて内壁によって囲まれていることを特徴とする光ファイバ保持部品になっている。
【００３８】
本発明の請求項１７に記載の本発明の光ファイバ保持部品は、請求項１〜１６のいずれかに記載の光ファイバ保持部品において、少なくとも１つの前記光ファイバ収納部は、前記平板状の光ファイバ保持部品の特定面側から前記平板状の光ファイバ保持部品の厚み方向に切った断面の形状が一方向に開口部を有するコの字型であり、前記平板状の光ファイバ保持部品の上方から見た前記光ファイバ収納部の周方向の複数箇所において、前記開口部の近傍に弾性体の突起が形成されていることを特徴とする光ファイバ保持部品になっている。
【００３９】
本発明の請求項１８に記載の本発明の光ファイバ保持部品は、請求項１〜１７のいずれかに記載の光ファイバ保持部品において、少なくとも１つの前記光ファイバ収納部は、少なくともその一部が少なくとも１つの前記接続部部品収納部の少なくとも一部と重なるように形成されていることを特徴とする光ファイバ保持部品になっている。
【００４０】
本発明の請求項１９に記載の本発明の光ファイバ保持部品は、請求項１〜１８のいずれかに記載の光ファイバ保持部品において、前記光ファイバ保持部品は前記光ファイバ保持部品の一方の表面の垂直上方から見た輪郭形状がおおむね細長形状であることを特徴とする光ファイバ保持部品になっている。
【００４１】
本発明の請求項２０に記載の本発明の光ファイバ保持部品は、請求項１９に記載の光ファイバ保持部品において、前記光ファイバ保持部品は前記光ファイバ保持部品の一方の表面の垂直上方から見た輪郭形状が長円形もしくは楕円形であることを特徴とする光ファイバ保持部品になっている。
【００４２】
本発明の請求項２１に記載の本発明の光ファイバ保持部品は、請求項１９に記載の光ファイバ保持部品において、前記光ファイバ保持部品は前記光ファイバ保持部品の一方の表面の垂直上方から見た輪郭形状が楕円形もしくは長円形などの細長形状の外周部に一部切欠（以下、外周部切欠ともいう）がある形状であることを特徴とする光ファイバ保持部品になっている。
【００４３】
本発明の請求項２２に記載の本発明の光ファイバ保持部品は、請求項２１に記載の光ファイバ保持部品において、前記光ファイバ保持部品は、前記光ファイバ保持部品の一方の表面の垂直上方から見た光ファイバ保持部品の輪郭形状が、互いに隣り合った少なくとも２つの前記第１の光ファイバ収納部が配置されている間の部分に対応する前記光ファイバ保持部品の外周部分に、外周部切欠として、外周形状としての窪みを有する形状であることを特徴とする光ファイバ保持部品になっている。
【００４４】
本発明の請求項２３に記載の本発明の光ファイバ保持部品は、請求項１〜２２のいずれかに記載の光ファイバ保持部品において、前記平板状の光ファイバ保持部品の特定面側の外周近傍に周回して弾性体の突起が複数配置されていることを特徴とする光ファイバ保持部品になっている。
【００４５】
本発明の請求項２４に記載の本発明の光ファイバ保持部品は、請求項１〜２３のいずれかに記載の光ファイバ保持部品において、前記平板状の光ファイバ保持部品の特定面側の外周近傍に周回して弾性体の壁状構造物が形成されていることを特徴とする光ファイバ保持部品になっている。
【００４６】
本発明の請求項２５に記載の本発明の光ファイバ保持部品は、請求項１〜２４のいずれかに記載の光ファイバ保持部品において、前記第１の光ファイバを収納する前記第１の光ファイバ収納部が１本の光ケーブルとして形成されている光ファイバを収納する光ファイバ収納部であり、前記第２の光ファイバを収納する前記第１の光ファイバ収納部が前記第１の光ファイバから分岐された複数本の光ファイバのうちの少なくとも１本の光ファイバを収納する光ファイバ収納部であることを特徴とする光ファイバ保持部品になっている。
【００４７】
本発明の請求項２６に記載の本発明の光ファイバ保持部品は、請求項１〜２５のいずれかに記載の光ファイバ保持部品において、前記光ファイバ保持部品の一方の特定面側に前記第１の光ファイバ収納部と前記接続部部品収納部の双方が配置されていることを特徴とする光ファイバ保持部品になっている。
【００４８】
本発明の請求項２７に記載の本発明の光ファイバ保持部品は、請求項１〜２６のいずれかに記載の光ファイバ保持部品において、前記接続部部品収納部は、前記平板状の光ファイバ保持部品の互いに隣り合った少なくとも２つの前記第１の光ファイバ収納部が配置されている特定面側に、前記平板状の光ファイバ保持部品の表面の上方から見て、前記互いに隣り合った少なくとも２つの第１の光ファイバ収納部の双方の一部と少なくとも一部が重なる位置関係に配置されているとともに、前記平板状の光ファイバ保持部品の特定面側の厚み方向に関して前記接続部部品収納部が前記互いに隣り合った少なくとも２つの第１の光ファイバ収納部よりも窪んで設けられていることを特徴とする光ファイバ保持部品になっている。
【００４９】
本発明の請求項２８に記載の本発明の光ファイバ保持部品は、請求項２７に記載の光ファイバ保持部品において、前記接続部部品収納部は、その底面が前記互いに隣り合った少なくとも２つの第１の光ファイバ収納部の底部もしくは下面よりも４ｍｍよりも大きく前記平板状の光ファイバ保持部品の特定面側の厚み方向に窪んで設けられていることを特徴とする光ファイバ保持部品になっている。
【００５０】
本発明の請求項２９に記載の本発明の光ファイバ保持部品は、請求項１〜２８のいずれかに記載の光ファイバ保持部品において、前記平板状の光ファイバ保持部品の一方の特定面側に少なくとも２つの前記第１の光ファイバ収納部が配置されており、２つの前記第１の光ファイバ収納部は、前記平板状の光ファイバ保持部品の一方の特定面側の光ファイバ保持部品の表面の長さ方向の両端部もしくは両端部近傍に配置されており、少なくとも一つの前記接続部部品収納部は、前記平板状の光ファイバ保持部品の前記一方の特定面側の光ファイバ保持部品の表面側と側面側のいずれかあるいは双方にわたって、前記平板状の光ファイバ保持部品の長さ方向に伸びて配置されており、前記平板状の光ファイバ保持部品の厚み方向に関して前記平板状の光ファイバ保持部品の表面から裏面側に近づく方向を低い位置と表現して、前記接続部部品収納部は、前記平板状の光ファイバ保持部品の厚み方向に関して、少なくとも一つの前記第１の光ファイバ収納部よりも低い位置に窪んで設けられていることを特徴とする光ファイバ保持部品になっている。
【００５１】
本発明の請求項３０に記載の本発明の光ファイバ保持部品は、請求項１〜２９のいずれかに記載の光ファイバ保持部品において、前記光ファイバ保持部品は
細長形状で、その細長形状は、その長さ方向の一方の端部に円を２等分した一方の半円周を、長さ方向の他方の端部に円を２等分した他方の半円周を、双方が前記半円周の曲率中心が近い方向になるように配置し、両端に配置した双方の前記半円周の対向している端部をそれぞれ直線で結んだ形状である長円形の平板状であり、前記光ファイバ保持部品の少なくとも一方の特定面側に２つの前記第１の光ファイバ収納部と少なくとも１つの前記接続部部品収納部を有しており、２つの前記第１の光ファイバ収納部は、互いに重ならないように配置されているとともに前記接続部部品収納部と一部で重なって配置されており、前記接続部部品収納部は前記光ファイバ保持部品の幅方向周辺部に形成されており、前記接続部部品収納部は前記光ファイバ保持部品の長さ方向に長く、２つの前記第１の光ファイバ収納部の上壁面は、外周が円形であるとともに、そのおおむね半周は前記光ファイバ保持部品の長手方向の外周部輪郭とおおむね一致しており、前記光ファイバ保持部品の厚みは、接続部部品収納部の第１の光ファイバ収納部と重なっていない部分や、２つの前記第１の光ファイバ収納部の互いに重なっていない部分などの細部の構造部を除いて、おおむね同じ厚みになっていることを特徴とする光ファイバ保持部品になっている。
【００５２】
請求項２９，３０に記載の本発明の構成を利用して，光ファイバ保持部品の大幅な小型化を進めることができ、作業性の大幅な向上を図ることができる。
【００５３】
本発明の請求項３１に記載の本発明の光ファイバ保持部品は、請求項１〜３０のいずれかに記載の光ファイバ保持部品において、前記接続部部品収納部の外側の側壁は、前記光ファイバ保持部品の厚み方向に関して、隣接する前記第１の光ファイバ収納部の下面よりも高く形成されていることを特徴とする光ファイバ保持部品になっている。
【００５４】
本発明の請求項３２に記載の本発明の光ファイバ保持部品は、請求項１〜３１のいずれかに記載の光ファイバ保持部品において、前記接続部部品収納部に隣接する前記第１の光ファイバ収納部には、当該接続部部品収納部に収納する接続部部品の高さより低くない第１の光ファイバ収納部の下面が形成されていることを特徴とする光ファイバ保持部品になっている。
【００５５】
本発明の請求項３３に記載の本発明の光ファイバ保持部品は、請求項１〜３２のいずれかに記載の光ファイバ保持部品において、前記第１の光ファイバ収納部の上壁面には穴が形成されていることを特徴とする光ファイバ保持部品になっている。
【００５６】
本発明の請求項３４に記載の本発明の光ファイバ保持部品は、請求項１〜３３のいずれかに記載の光ファイバ保持部品において、前記光ファイバ保持部品の一方の特定面側に前記光ファイバ収納部が配置されているとともに他方の特定面側すなわち前記一方の特定面側の裏面側に相当する特定面側に前記接続部部品収納部が配置されており、前記光ファイバ保持部品の一方の特定面側に配置されている前記光ファイバ収納部と前記光ファイバ保持部品の他方の特定面側に配置されている前記接続部部品収納部との間に、前記光ファイバ保持部品の他方の特定面側に配置されている前記接続部部品収納部に収納されている接続部部品に接続されている光ファイバを前記光ファイバ保持部品の一方の特定面側に配置されている前記光ファイバ収納部に当該光ファイバを曲率半径が７．５ｍｍ以下にならないようにして、かつ、当該光ファイバ保持部品からその幅方向や長さ方向の外部に飛び出させることなく移動させることができる切り込み部が形成されていることを特徴とする光ファイバ保持部品になっている。
【００５７】
本発明の請求項３５に記載の本発明の光ファイバ保持部品は、請求項１〜３４のいずれかに記載の光ファイバ保持部品において、前記第１の光ファイバ収納部の複数の前記弾性体の突起は、光ファイバを挿入する方向あるいは光ファイバ収納部の開口部から奥に向かう方向に９０°±３０°（以下、おおむね直交して、ともいう）形成されていることを特徴とする光ファイバ保持部品になっている。
【００５８】
本発明の請求項３６に記載の本発明の光ファイバ保持部品は、請求項１〜３５のいずれかに記載の光ファイバ保持部品において、前記接続部部品収納部の幅方向に対向して配置されている側壁のうちの少なくとも一方の側壁は、当該接続部部品収納部の底面と鋭角をなしているとともに、当該接続部部品収納部の底面から離れるに従って当該接続部部品収納部の幅が狭くなるように形成されていることを特徴とする光ファイバ保持部品になっている。
【００５９】
本発明の請求項３７に記載の本発明の光ファイバ保持部品は、請求項１〜３６のいずれかに記載の光ファイバ保持部品において、少なくとも１つの前記第１の光ファイバ収納部の複数の弾性体の突起は、光ファイバ保持部品の厚み方向に関して上方から下方に向けて形成されていることを特徴とする光ファイバ保持部品になっている。
【００６０】
本発明の請求項３８に記載の本発明の光ファイバ保持部品は、請求項１〜３７のいずれかに記載の光ファイバ保持部品において、少なくとも１つの前記第１の光ファイバ収納部の複数の弾性体の突起は、光ファイバ保持部品の厚み方向に関して上方から下方に向けて形成されている突起と下方から上方に向けて形成されている突起であることを特徴とする光ファイバ保持部品になっている。
【００６１】
本発明の請求項３９に記載の本発明の光ファイバ保持部品は、請求項３８に記載の光ファイバ保持部品において、前記第１の光ファイバ収納部の、複数の、光ファイバ保持部品の厚み方向に関して上方から下方に向けて形成されている突起と下方から上方に向けて形成されている突起は対向して配置されているであることを特徴とする光ファイバ保持部品になっている。
【００６２】
本発明の請求項４０に記載の本発明の光ファイバ保持部品は、請求項１〜３９のいずれかに記載の光ファイバ保持部品において、前記接続部部品収納部の側壁の少なくとも一部が弾性体の突起を用いて構成されていることを特徴とする光ファイバ保持部品になっている。
【００６３】
本発明の請求項４１に記載の本発明の光ファイバ保持部品は、請求項１〜４０のいずれかに記載の光ファイバ保持部品において、前記光ファイバ保持部品は、輪郭が、（８２ｍｍ±３％）×（４０ｍｍ±３％）×（８ｍｍ±３％）の大きさを超えないことを特徴とする光ファイバ保持部品になっている。
【００６４】
本発明の請求項４２に記載の本発明の光ファイバ保持部品は、請求項１〜４１のいずれかに記載の光ファイバ保持部品において、少なくとも１つの前記第１の光ファイバ収納部に配置されている突起が、中心角がおおむね１０°になる位置に形成されていることを特徴とする光ファイバ保持部品になっている。
【００６５】
本発明の請求項４３に記載の本発明の光ファイバ保持部品は、請求項１〜４２のいずれかに記載の光ファイバ保持部品において、前記光ファイバ保持部品に、外部の接続部に接続することができる接続部（以下、外部接続部ともいう）が形成されていることを特徴とする光ファイバ保持部品になっている。
【００６６】
本発明の請求項４４に記載の本発明の光ファイバ保持部品は、請求項４３に記載の光ファイバ保持部品において、前記光ファイバ保持部品の前記外部接続部として、前記第１の光ファイバ収納部に形成された穴を利用していることを特徴とする光ファイバ保持部品になっている。
【００６７】
本発明の請求項４５に記載の本発明の光ファイバ保持部品は、請求項４３または４４に記載の光ファイバ保持部品において、前記光ファイバ保持部品の外部接続部として、前記光ファイバ保持部品を他の光ファイバ保持部品に着脱可能に接続することができる係合部が形成されていることを特徴とする光ファイバ保持部品になっている。
【００６８】
本発明の請求項４６に記載の本発明の光ファイバ保持部品は、請求項４３〜４５のいずれかに記載の光ファイバ保持部品において、前記光ファイバ保持部品の外部接続部が前記光ファイバ保持部品の外周部に形成されていることを特徴とする光ファイバ保持部品になっている。
【００６９】
本発明の請求項４７に記載の本発明の光ファイバ保持部品は、請求項１〜４６のいずれかに記載の光ファイバ保持部品において、前記光ファイバ保持部品が樹脂を用いた一体成形技術で形成されていることを特徴とする光ファイバ保持部品になっている。
【００７０】
本発明の請求項４８に記載の本発明の光ファイバ保持部品は、請求項４７に記載の光ファイバ保持部品において、前記光ファイバ保持部品がシリコーンゴムで形成されていることを特徴とする光ファイバ保持部品になっている。
【００７１】
本発明の請求項４９に記載の本発明の光ファイバ保持部品は、請求項４７に記載の光ファイバ保持部品において、前記光ファイバ保持部品がフッ素ゴムで形成されていることを特徴とする光ファイバ保持部品になっている。
【発明の効果】
【００７２】
以上のように、本発明は、平板状の光ファイバ保持部品の一方の特定面側と他方の特定面側のいずれかあるいは双方に、第１の光ファイバと第２の光ファイバを収納する光ファイバ収納部と前記両ファイバ間に接続されている接続部部品を収納する接続部部品収納部とを配置するとともに、光ファイバを光ファイバ収納部に周回して収納する場合に、前記接続部部品によって光ファイバを傷つけることなく、かつ、周回収納による通信に問題になるような光ファイバの損失増大を招くことなく光ファイバをコンパクトに収納できる光ファイバ保持部品を安価に実現することができるという大きな効果を奏するとともに、本発明の光ファイバ保持部品は、作業における取扱いが容易で、収納している光ファイバの識別も可能に収納することができ、前記両ファイバの接続部部品に接続されている端部とは逆方向の端部が他の端子などに固定されている場合にも各光ファイバを光ファイバ収納部に巻回して収納することができ、また、第１の光ファイバと第２の光ファイバの長さが違う場合にも簡単に光ファイバ収納部に巻回して収納することができるという大きな効果を奏する。
【発明を実施するための最良の形態】
【００７３】
以下、図面を参照して本発明の実施の形態の例について説明する。なお、説明に用いる各図は本発明の例を理解できる程度に各構成成分の寸法、形状、配置関係などを概略的に示してある。そして本発明の説明の都合上、部分的に拡大率を変えて図示する場合もあり、本発明の例の説明に用いる図は、必ずしも実施例などの実物や記述と相似形でない場合もある。また、各図において、同様な構成成分については同一の番号を付けて示し、重複する説明を省略することもある。
【００７４】
本発明の基本的技術思想は、前記課題を解決するための手段にて説明したものであるが、以下、いくつかの実施例を用いて本発明をさらに詳しく説明する。
【実施例１】
【００７５】
図１〜図５は、本発明の実施の形態例としての光ファイバ保持部品を説明するための図で、図１は光ファイバ保持部品を上から見た平面図、図２は光ファイバ保持部品３００を上から見た平面図に説明のための線を一部書き加えた図、図３は図２の光ファイバ保持部品３００を直線Ｙ１−Ｙ２の位置で切った断面図、図４は図２の光ファイバ保持部品３００を直線Ｘ５−Ｘ６の位置で切った断面図、図５は図２の直線Ｘ３−Ｘ４の位置で切った断面図である。なお、図２の光ファイバ保持部品３００を直線Ｘ１−Ｘ２の位置で切った断面図は図４から類推できるので省略する。
【００７６】
図１〜図５で、符号３００は光ファイバ保持部品、３００ｘは光ファイバ保持部品３００の長さ方向、３００ｙは光ファイバ保持部品３００の幅方向、３００ｚは光ファイバ保持部品３００の厚み方向（厚み方向３００ｚは、図の矢印方向が光ファイバ保持部品の厚みに関して高い方向あるいは上の方向である）、３１０は光ファイバ保持部品３００の一方の表面側、３１０ａは光ファイバ保持部品３００の側面側、３１０ｂは光ファイバ保持部品３００の一方の表面側３１０とそれに続いて形成されている側面側３１０ａを合わせて表現した光ファイバ保持部品３００の一方の特定面側、３０４と３０５はそれぞれ特定面側３１０ｂに形成されている２つの第１の光ファイバ収納部、３１５と３１６は特定面側３１０ｂに形成されている接続部部品収納部、３１５ｂと３１６ｂは接続部部品収納部３１５と３１６の側壁でそれぞれ接続部部品収納部の底面に鋭角に形成されている側壁、３０１は表面側３１０の外周に沿って形成されており接続部部品収納部３１５から接続部部品収納部３１６に連続して形成されている窪み（以下、凹部ともいう）、３０２は表面側３１０の外周に沿って形成されいる凹部３０１の側壁すなわち前記平板状の光ファイバ保持部品の特定面側の外周近傍に周回して形成されている弾性体の壁状構造物、３０４ａは表面側３１０の第１の光ファイバ収納部３０４が形成されている部分であって第１の光ファイバ収納部３０４の上面を形成している上面壁、３０４ｂは第１の光ファイバ収納部３０４に形成されている弾性体の突起あるいはその形成されている位置を示す符号、３０４ｘ，３０５ｘはそれぞれ第１の光ファイバ収納部３０４，３０５の下面（以下、底面ともいう）、３０４ｃは第１の光ファイバ収納部３０４が形成されている位置を示す線あるいは光ファイバ収納部３０４の開口部から見て奥の内壁、３０４ｄは第１の光ファイバ収納部３０４が形成されている内側に形成された穴で光ファイバ保持部品３００の一方の表面側３１０からその裏面側まで貫通している穴、３０４ｅは図３の断面図の断面から見える第１の光ファイバ収納部３０４の上面壁３０４ａの外側を示す線、３０４ｆは光ファイバ保持部品３００の裏面を示す線、３０５ａは表面側３１０の第１の光ファイバ収納部３０５が形成されている部分であって第１の光ファイバ収納部３０５の上面を形成している上面壁、３０５ｂは第１の光ファイバ収納部３０５に形成されている弾性体の突起あるいはその形成されている位置を示す符号、３０５ｃは第１の光ファイバ収納部３０５が形成されている位置を示す線あるいは光ファイバ収納部３０５の開口部から見て奥の内壁、３０５ｄは第１の光ファイバ収納部３０５が形成されている内側に形成された穴で光ファイバ保持部品３００の一方の表面側３１０からその裏面側まで貫通している穴、３０５ｅは図３の断面図の断面から見える第１の光ファイバ収納部３０５の上面壁３０５ａの外側を示す線、３０５ｆは光ファイバ保持部品３００の裏面を示す線、３０７は第１の光ファイバ収納部の下面と同じ高さの面、３０４ｙは光ファイバ保持部品３００の肉部、Ｏ１，Ｏ２はそれぞれ穴３０４ｄ，３０５ｄの中心、３０９は第１の光ファイバ収納部の開口部である。３０４ｂ１，３０５ｂ１はそれぞれＯ１，Ｏ２を中心とする円周でこの円周上に各突起３０４ｂ，３０５ｂが配置されている。
【００７７】
図６は図１の光ファイバ保持部品３００を面３０７の位置で面３０７に平行に切った断面図で、符号３０８は第１の光ファイバ収納部３０４の第１の光ファイバ収納部３０４の開口部から見て奥の内壁３０４ｃを構成している円筒状の壁である。
【００７８】
接続部部品収納部３１５，３１６は、それぞれ接続部部品収納部の底面に鋭角に形成されている弾性体の側壁３１５ｂ，３１６ｂと凹部３０１の弾性体の側壁３０２の弾性力によって、その間に挿入して収納される被収納物としての接続部部品を挟み込んで安定な状態で収納している。  前記説明からも明らかであるが、接続部部品収納部３１５，３１６は、その底面に近い部分の幅よりも被収納物の挿入口になり開口部の幅の方が狭く形成されている。この効果により、そこに挿入して収納される被収納物としての接続部部品は取扱中に簡単にはずれないようにすることができる。
【００７９】
接続部部品収納部における被収納物を挟み込む力は不必要に強くしないことが好ましい。
【００８０】
接続部部品収納部３１５を接続部部品の収納に用いる場合について説明する。
【００８１】
図１〜図６の構成からも推察できることではあるが、本発明の課題である小型で使いやすい光ファイバ保持部品を実現するためには、接続部部品収納部３１５を極力小型にする必要がある。ただし、その小型化において、被収納物としての接続部部品に接続されている光ファイバを、接続部部品収納部３１５に続いて形成されている第１の光ファイバ収納部３０４，３０５に収納する場合に、光ファイバが接続部部品に当たって損傷するのを避けなければならない。そのための重要な方策の一つとして、側壁３０２の少なくとも接続部部品収納部３１５を構成する部分の少なくとも一部の先端部（光ファイバ保持部品３００の厚み方向に関して最も高い部分）が第１の光ファイバ収納部３０４，３０５の下面３０４ｘ，３０５ｘよりも光ファイバ保持部品３００の厚み方向に関してわずかに高いように形成することが好ましい。図示の光ファイバ保持部品３００の場合は、側壁３０２の全周にわたって、側壁３０２の先端部が第１の光ファイバ収納部３０４，３０５の下面３０４ｘ，３０５ｘよりも光ファイバ保持部品３００の厚み方向に関して、後述のように０．２ｍｍだけ高いように形成されており、実際の作業現場において、光ファイバを損傷させることなく被収納物の収納を短時間で行うことができる。
【００８２】
側壁３１５ｂ，３１６ｂとして接続部部品収納部の底面に鋭角に形成されている例を説明したが、側壁３１５ｂ，３１６ｂはこれに狭く限定されるものではなく、多くのバリエーションを可能としている。たとえば、側壁３１５ｂ，３１６ｂと側壁３０２の少なくとも一方の中間部分をふくらませて形成しても良い。
【００８３】
あるいは、接続部部品収納部の対向する側壁の少なくとも一方の少なくとも一部を弾性体の突起によって構成することもできる。これによって、接続部部品の挟み込み効果を適宜加減することができる。
【００８４】
光ファイバ保持部品３００の場合、その外周近傍に周回して弾性体の突起を配置することができる。
【００８５】
前記接続部部品収納部の幅方向に対向する側壁の幅を被収納物の幅よりもわずかに狭く形成してもよい。この場合にも、収納してから被収納物に及ぼされる挟み込む力は、接続部部品収納部の底部に近いところよりも入口に近いところの方が強いように構成すると、被収納物を安定して収納することができる。
【００８６】
光ファイバ保持部品３００はシリコーンゴムを材料とした一体成形技術で形成されており、自然に台などに載置した状態や手で持った状態では各収納部の形状をおおむね保っているが、手で持って部分的に溝を拡げたり曲げたりなどの変形をさせようとすると、被収納物の着脱に必要な変形を簡単にさせることができ、変形後かけた力を除くと正常な形に復元し、繰り返し被収納物の着脱を行うことができる。
【００８７】
図７と図８は光ファイバ保持部品３００の主要部分の寸法を説明する断面図に各寸法を説明するための補助線等を記入した図である。
【００８８】
光ファイバ保持部品３００の図１の輪郭形状は、たとえば図１のように細長形状で、その細長形状は、第１の光ファイバ収納部３０４の上面壁３０４ａの外側の円周の上半円周と第１の光ファイバ収納部３０５の上面壁３０５ａの外側の円周の下半円周を、光ファイバ保持部品３００の長さ方向の一方の端部と他方の端部に、双方が前記半円周の曲率中心が近い方向になるように配置し、両端に配置した双方の前記半円周の対向している端部をそれぞれ直線（この場合は、図示のように、側壁３０２のそれぞれ外側の線が相当する）で結んだ形状である長円形と定義する形状であり、後述の説明ならびに図１〜８からもわかるように、光ファイバ保持部品３００は長円形の表面を有する平板状をしており、厚みは細部の構造部（たとえば、接続部部品収納部の第１の光ファイバ収納部と重なっていない部分や、第１の光ファイバ収納部３０４と第１の光ファイバ収納部３０５の互いに重なっていない部分）を除いて、おおむね同じになっている。すなわち、光ファイバ保持部品３００は長円形の輪郭をもった平行平板状に形成されているといえる。
【００８９】
２つの第１の光ファイバ収納部３０４と３０５は、それぞれ裏側の周辺部近傍に弾性体の突起３０４ｂと３０５ｂを有する、同心円状のリング状平板である上面壁３０４ａと３０５ａの下側（裏側）に形成されており、その外周は図１のように、約半周にわたって、その下に形成されている凹部（窪み）３０１の側壁３０２と重なるように形成されている。すなわち、後述の光ファイバ保持部品３００の幅寸法は上面壁３０４ａと３０５ａの直径におおむね等しい。
【００９０】
そして、凹部３０１の２つの第１の光ファイバ収納部３０４と３０５の間に位置する部分を主として利用して、接続部部品収納部３１５と３１６を形成している。
【００９１】
このような構造のため、本発明の光ファイバ保持部品３００は極めて小型に形成されている。
【００９２】
前記のように、従来の技術思想では、光ファイバの伝送損失増大と破損の恐れのために、両端に光ファイバ心線を接続した接続部部品や、複数心線を実装した光ケーブルと光ファイバ心線の間に配置された接続部部品を光ファイバとともに収納するクロージャにおいては、それらの収納にかなり余裕を持たせた多きな空間を用意して、接続部部品と光ファイバの取扱いに十分に気を配りながら収納していた。
【００９３】
しかしながら、本発明の前記のような特徴により、本発明は、従来では全く考えられなかったような小型の本発明の光ファイバ保持部品に接続部部品とその両端に取り付けられている光ファイバを収納することができるようになるため、たとえば、これに狭く限定されないが、高層ビルや一戸建ての家屋などの建築物における光ファイバの配線に大きな発展をもたらすことができた。
【００９４】
本発明の光ファイバ保持部品３００は、小型であるが、十分に広い用途を可能にするものであり、たとえば、接続部部品の両端に取り付けられている光ファイバの各他端が外部の端子等に固定されている場合、さらに、接続部部品の両端に取り付けられている光ファイバの長さが異なる場合など、作業現場で生起する各種の異なった難しい条件をも簡単に克服することができるものである。
【００９５】
図７と図８で、符号Ｗ１は長円形の表面を有する光ファイバ保持部品３００の長径で平板状の光ファイバ保持部品３００の長さ寸法、Ｗ２は第１の光ファイバ収納部３０４と３０５中心間距離、Ｗ３は凹部３０１の側壁３０２の厚み、Ｗ４は光ファイバ保持部品３００の幅寸法である。符号ｔ１は光ファイバ保持部品３００の厚み寸法、ｔ２は側壁３０２の高さ、ｔ３は第１の光ファイバ収納部の上面壁の表面から側壁３０２の上端までの距離、ｔ４は第１の光ファイバ収納部の上面壁の厚み、ｔ５は突起の長さ、ｔ６は第１の光ファイバ収納部の上面（上面壁の裏面）と下面の距離、φ１は第１の光ファイバ収納部の上面壁の直径、φ２は弾性体の突起の配置を説明する円周の直径、φ３は第１の光ファイバ収納部の開口部から見て奥の内壁の直径、φ４は第１の光ファイバ収納部の上面壁の中心に開いている穴の直径、φ５は弾性体の突起の中央部分の直径を示す記号である。また、図８は後述の、光ファイバ保持部品３００に被収納物を収納する方法を説明するのにも用いる図で、符号３２０は被収納物としての接続部部品、３２１と３２２は接続部部品の収納方法を説明するのに使用する矢印である。
【００９６】
本発明の光ファイバ保持部品３００の特に好ましい例をあげると、Ｗ１が８２ｍｍ、Ｗ２が４２ｍｍ、Ｗ３が１ｍｍ、Ｗ４が４０ｍｍ、ｔ１が８ｍｍ、ｔ２が５．２ｍｍ、ｔ３が２．８ｍｍ、ｔ４が１ｍｍ、ｔ５が１．８ｍｍ、ｔ６が２ｍｍ、φ１が４０ｍｍ、φ２が３６ｍｍ、φ３が３０ｍｍ、φ４が２６ｍｍ、φ５が１ｍｍである。
【００９７】
なお、寸法表記の記号では示していないが、第１の光ファイバ収納部３０４と３０５に配置されている弾性体の突起３０４ｂと３０５ｂは、それぞれ上面壁３０４ａと３０５ａの各中心に対して張る中心角が１０°になるように、それぞれ上面壁３０４ａと３０５ａの下側に配置されている。このような突起の配置は、信頼性が高く、実用的に極めて使い勝手の良い光ファイバ保持部品を提供することができる。
【００９８】
本発明によって、従来では全く考えられていなかった、占有スペースが（８２ｍｍ±３％）×（４０ｍｍ±３％）×（８ｍｍ±３％）の大きさを超えない実用的な光ファイバ保持部品の実現が可能になった。
【００９９】
また、本発明の光ファイバ保持部品３００においては、外周部や穴などに必要に応じて曲面加工が施されている。図８の符号ｃは、光ファイバ保持部品３００の裏面外周部コーナーと穴の外周に曲面加工してあるときの曲率半径を表しており、図８の場合のｃの例は０．５ｍｍである。
【０１００】
つぎに、光ファイバ保持部品３００に被収納物を収納することに関して説明する。
【０１０１】
光ファイバ保持部品３００の凹部３０１の一部である接続部部品３２０を収納する予定の接続部部品収納部３１５の側壁３０２を指などで軽く矢印３２１の方向へ押し開くと、接続部部品収納部３１５の入口が大きく開くので、接続部部品３２０を矢印３２２方向に接続部部品収納部３１５に挿入し、指などで底面の方向に軽く押しつけると、接続部部品３２０の下面が接続部部品収納部３１５の底面まで挿入され、接続部部品３２０はその幅よりも狭い幅の接続部部品収納部３１５の弾性体の両側面から幅方向に押し挟まれて、接続部部品収納部３１５に収納される。
【０１０２】
つぎに、接続部部品３２０の両側に接続されている光ファイバ（一方の側の光ファイバを第１の光ファイバと定義し、他方の側の光ファイバを第２の光ファイバと定義する）を２つの第１の光ファイバ収納部３０４と３０５の近い方に巻きつけて、弾性体の突起３０４ｂと３０５ｂの内側に各光ファイバの収納を開始する。
【０１０３】
２つの第１の光ファイバ収納部３０４と３０５は前記のような寸法に形成されており、弾性体の突起３０４ｂと３０５ｂの先端と当該光ファイバ収納部の下面との隙間は、光ファイバを突起に押し当てないときは０．２ｍｍであるが、光ファイバを突起に軽く押し当てると、突起はたわみ、光ファイバを当該第１の光ファイバ収納部の突起の内側に挿入することができる。
【０１０４】
少なくとも主要な弾性体の突起の先端部は、直径φ５が１ｍｍの半球状に形成されている。この形状は、収納の作業性と信頼性を高める。
【０１０５】
前記第１の光ファイバ収納部の複数の前記弾性体の突起は、光ファイバを挿入する方向あるいは光ファイバ収納部の開口部から奥に向かう方向に対して９０°±３０°の角度をなすように（以下、おおむね直交して、ともいう）形成するのが特に好ましい。図７と図８に示した突起は、光ファイバ収納部の開口部から奥に向かう方向におおむね直交して形成された突起で、図示のものは、第１の光ファイバ収納部の上面に垂直に形成された例である。
【０１０６】
光ファイバ保持部品３００として、シリコーンゴムの一体成形技術でつくったものを用いると、図７と図８の寸法と形状を有する光ファイバ保持部品３００では、光ファイバを突起に軽く押し当てると、突起は光ファイバ収納部の内側に３０°〜６０°程度簡単に撓み、光フ
ァイバを収納部に巻きつけることができる。
【０１０７】
弾性体の突起が３０°以上に撓むと、光ファイバが突起上を滑りやすくなり、作業性良く収納することができる。
【０１０８】
複数の前記弾性体の突起を、その先端部から付け根部分の方向へ３分の１以内の寸法の部分を光ファイバ心線で撓ませたときに、当該光ファイバ心線を損傷することなく３０°以上の角度に撓ませることができる柔らかさの突起にすることにより、光ファイバの収納作業性が極めて高く、収納信頼性が高い光ファイバ保持部品を実現することができる。
【０１０９】
前記光ファイバ収納部に配置されている主要な弾性体の突起と前記接続部部品収納部に配置されている弾性体の少なくとも一部を、根本の最大寸法よりも長さの方が長い棒状あるいは板状の弾性体の突起にすることにより、収納の作業性と信頼性を高めることができる。
【０１１０】
本発明の光ファイバ保持部品の少なくとも１つの前記光ファイバ収納部に配置されている複数の弾性体の突起のうちの主要な弾性体の突起は、前記の如く、当該光ファイバ収納部に光ファイバを収納したときに生じる光ファイバが広がろうとする動きを抑制することができる突起である
光ファイバ収納部に収納された光ファイバは、光ファイバ保持部品３００の前記寸法のため、復元力で自然に広がろうとするが、この広がり力は光ファイバ保持部品３００の突起を光ファイバが光ファイバ収納部の外に飛び出せるまでに曲げることができず、光ファイバは解けることなく光ファイバ収納部に巻回されて収納される。
【０１１１】
図９は、図５と同様の図に、接続部部品３２０とそれに接続された第１の光ファイバ３２３を収納する途中の状態を示す図である。接続部部品３２０は接続部部品収納部３１５の対向する側壁（側壁３０２とそれに対向する側壁）に押しつけられて保持されている。第１の光ファイバ３２３は第１の光ファイバ収納部３０４に巻回されて、収納のための長さ調整をしているところを示してある。第１の光ファイバ３２３は、図１の第１の光ファイバ収納部３０４に、図の上から見て第１の光ファイバ収納部３０４の上方を時計回りに通って第１の光ファイバ収納部３０４に２．５周巻回されてから第１の光ファイバ収納部３０４の右下方から第１の光ファイバ収納部３０５の上方左側に移り、第１の光ファイバ収納部３０５に反時計回りに約１周巻回され、つぎに第１の光ファイバ収納部３０５の右上方から第１の光ファイバ収納部３０４の左下方に移り、第１の光ファイバ収納部３０５に時計回りに約１周巻回され、同様に第１の光ファイバ収納部３０５に反時計回りに約１周巻回されるというように、この動作を繰り返して光ファイバ保持部品３００に収納される。
【０１１２】
図示していないが、接続部部品３２０の第１の光ファイバ３２３が接続されている側（図９の場合、図の下側）と反対側（図９の場合、図の上側）に接続されている第２の光ファイバも同様にして、第１の光ファイバ収納部３０５の下方を通り反時計回りに第１の光ファイバ収納部３０５に巻回をはじめ、第１の光ファイバ収納部３０４と３０５を使って８の字形に巻回して収納し、長さ調整が必要とわかったら、いずれかの第１の光ファイバ収納部に複数回巻回したり、第１の光ファイバ収納部３０４と３０５の間を８の字形ではなく長円形に巻回するなどして収納することができる。
【０１１３】
また、第１の光ファイバと第２の光ファイバを途中から同じ方向に巻回して第１の光ファイバ収納部３０４と３０５に収納したい場合には、いずれか一方の光ファイバを８の字形の半分だけ巻回するとその後は第１の光ファイバと第２の光ファイバを同じ方向に巻回して収納することができる。両光ファイバの長さが違う場合には、前記の要領で長さ調整をすることができる。
【０１１４】
第１の光ファイバ収納部３０４と３０５に収納した第１の光ファイバと第２の光ファイバは、必要に応じて光ファイバ保持部品３００の適切な突起の間から光ファイバ保持部品３００の外部へ引き出すことができる。
【０１１５】
図７と図８の寸法の光ファイバ保持部品３００は、長さ寸法が８２ｍｍ、幅寸法が４０ｍｍ、厚み寸法が８ｍｍの平板状であり、これに、断面が４ｍｍ×４ｍｍで長さが４０ｍｍの接続部部品とそれに接続された数ｍの長さで、かつ、他端が外部端子などに接続された第１の光ファイバと第２の光ファイバを収納することができることは従来では到底考えられなかったことである。
【０１１６】
ここで、接続部部品収納部の側壁３０２の効果についてさらに説明する。
【０１１７】
第１の光ファイバ収納部は、光ファイバ保持部品３００では一部が凹部３０１と重なって設けられているが、重なっていないところの下面は光ファイバを所定の高さに維持する効果を有する。しかし、光ファイバを収納部に巻回する時は、光ファイバを下方に引っ張ることもある。
【０１１８】
前記の如く、接続部部品収納部の側壁３０２の内側の高さは４．２ｍｍで、そこの収納される接続部部品３２０の高さは４ｍｍであり、側壁３０２の上端は、側壁３０２の長さ方向と厚み方向の双方に垂直な断面の形状が、側壁３０２の厚み寸法を直径とする円に形成されている。この高さ寸法は、隣接する光ファイバ収納部の下面３０４ｘ，３０５ｘよりも０．２ｍｍ高く形成されている。この高さの差は、光ファイバをその収納部に巻回する時に、誤って光ファイバを接続部部品３２０の角にこすって損傷する事故を適格に防ぐ効果を発揮する。
【０１１９】
以上、図１〜図９を用いて説明した本発明の光ファイバ保持部品３００は、被収納物としての接続部部品とそれに接続されている第１の光ファイバと第２の光ファイバを、いずれも一方の特定面側である特定面側３１０ｂから各収納部に収納することができるように各収納部が形成されているので、このような各収納部を、一方の特定面側である特定面側３１０ｂに配置した収納部という。
【０１２０】
本発明の光ファイバ保持部品は、用途によって、両方の特定面側にそれぞれ少なくとも２つの第１の光ファイバ収納部と少なくとも１つの接続部部品収納部を設けるようにすることもできる。
【０１２１】
なお、実施例１における光ファイバ収納部の前記弾性体の突起３０４ｂ，３０５ｂの前記長さ寸法の例は、特に好ましい例をあげてあり、この寸法より多少変えても、本発明は大きな効果を奏するものである。
【実施例２】
【０１２２】
図１０は、図１の本発明の光ファイバ保持部品３００と第１の光ファイバ収納部の突起の配置などが多少異なる本発明の実施の形態例としての光ファイバ保持部品３００ａを面３０７の位置で面３０７に平行に切った断面図で、符号３０４ｂ２，３０５ｂ２は第１の光ファイバ収納部３０４，３０５に形成されている弾性体の突起、３２５は第２の光ファイバである。
【０１２３】
弾性体の突起３０４ｂ２，３０５ｂ２は、面３０７に円周３０４ｂ１上に中心角約１０°の間隔で、光ファイバ保持部品の厚み方向に関して下方から上方に向けて形成されている
配置されている。
【０１２４】
図１０で、図には表れていないが、第１の光ファイバ収納部３０４，３０５の突起３０４ｂ２，３０５ｂ２が形成されていない部分には、前記弾性体の突起３０４ｂ，３０５ｂが実施例１の場合に準じて、光ファイバ保持部品の厚み方向に関して上方から下方に向けて形成されている。
【０１２５】
突起３０４ｂ２，３０５ｂ２が形成されている部分には、光ファイバ保持部品の厚み方向に関して上方から下方に向けて形成されている突起３０４ｂ，３０５ｂと下方から上方に向けて形成されている突起３０４ｂ２，３０５ｂ２が対向して配置されており、対向している両方の突起の長さの合計は、実施例１における突起３０４ｂ，３０５ｂの場合とおおむね同様である。
【０１２６】
また、突起３０４ｂ２，３０５ｂ２が形成されている部分においては、突起３０４ｂ２，３０５ｂ２と突起３０４ｂ，３０５ｂをたとえば交互に形成しても良い。この場合の各突起の長さは、実施例１における突起３０４ｂ，３０５ｂの場合を上限として、適宜短く形成することができる。
【実施例３】
【０１２７】
本発明の実施の形態例として、図示しないが、前記光ファイバ保持部品の一方の特定面側に前記光ファイバ収納部が配置されているとともに他方の特定面側すなわち前記一方の特定面側の裏面側に相当する特定面側に前記接続部部品収納部が配置されており、前記光ファイバ保持部品の一方の特定面側に配置されている前記光ファイバ収納部と前記光ファイバ保持部品の他方の特定面側に配置されている前記接続部部品収納部との間に、前記光ファイバ保持部品の他方の特定面側に配置されている前記接続部部品収納部に収納されている前記接続部部品に接続されている光ファイバを前記光ファイバ保持部品の一方の特定面側に配置されている前記光ファイバ収納部に当該光ファイバを曲率半径が７．５ｍｍ以下にならないようにして、かつ、当該光ファイバ保持部品からその幅方向や長さ方向の外部に飛び出させることなく移動させることができる切り込み部が形成されている光ファイバ保持部品にすることができる。
【０１２８】
この場合、他方の特定面側に複数の前記接続部部品収納部を設けることができる。
【０１２９】
他方の特定面側に形成されている前記接続部部品収納部から前記一方の特定面側に形成されている前記第１の光ファイバ収納部に光ファイバを移行する場合、光ファイバの伝送特性の劣化や破損を防ぐために、光ファイバの曲がり形に留意する必要がある。この一つの方策として、光ファイバ保持部品の基板に、前記一方の特定面側から他方の特定面側に開通している切り込み部を設けることができる。この切り込み部としては、公知の幅広のスリットのような形状の切り込み部を設けることができる。特に好ましい切り込み部の例として、切り込み部を、図１〜図９を用いて説明した本発明の光ファイバ保持部品３００の長さ方向の両端部近傍の各第１の光ファイバ収納部の下に、たとえば図１の光ファイバ保持部品の上方から見て、第１の光ファイバ収納部の内側から外側に徐々に幅が広くなる、切り込み面が曲線状の切り込みを形成することによって、収納の作業性と信頼性を高めることができる。
【０１３０】
また、この切り込み部は、第１の光ファイバ収納部を突っ切って光ファイバ保持部品の外側まで通じる切り込み部として形成することができる。
【実施例４】
【０１３１】
本発明の実施の形態例として、前記光ファイバ保持部品の一方の特定面側と他方の特定面側にそれぞれ前記光ファイバ保持部品３００と同様の光ファイバ保持部品を形成することができる。
【０１３２】
各部の構成は、単独の光ファイバ保持部品としての説明は図１〜図９と同様であり、図示と説明は重複を避けることにするが、光ファイバ保持部品の一方の特定面側と他方の特定面側の間に実施例３にあげたような切り込み部を設けることができる。この切り込み部は、たとえば、これに狭く限定されないが、接続部部品の一方に接続されている第１の光ファイバが複数の光ファイバ心線を実装した光ケーブルであり、接続部部品の他方に接続されている第２の光ファイバが
第１の光ファイバから分岐した光ファイバ心線である場合にコンパクトで扱いやすい、信頼性の高い光ファイバ保持部品として用いることができる。
【０１３３】
たとえば、実施例１の光ファイバ保持部品における第１の光ファイバ収納部の中央部の貫通した穴を、棒状の取付国と押して、複数個の光ファイバ保持部品を重ねて配置し、前記光ケーブルと分岐した心線の実装に用いることができる。
【０１３４】
光ファイバ保持部品を、他の光ファイバ保持部品と接続したり、外部の接続部に接続したりすることができる光ファイバ保持部品の外部接続部としては、光ファイバ保持部品の表面側と裏面側に、たとえば凸部とそれに係合する凹部を設けて、たとえば２つの光ファイバ保持部品を重ねて、一方の光ファイバ保持部品の前記凸部を他方の光ファイバ保持部品の前記凹部に着脱可能にはめ込んで接続するものを用いることができる。
【０１３５】
また、前記外部接続部として、光ファイバ保持部品の外周部に接続用の構造部を設けても良い。前記接続用の構造部としては、たとえば、光ファイバ保持部品の外周部から続いてでているシリコーンゴム製の他端に係合部を有する薄い帯状あるいは板状の突出部を形成しても良く、前記突出部を細くしても良い。
【０１３６】
以上、実施例を中心に本発明の詳細を説明したが、本発明はこれに狭く限定されるものではなく、多くのバリエーションを可能とするものである。
【０１３７】
本発明の光ファイバ保持部品を樹脂を用いた一体成形技術で形成することにより、小型で使いやすい光ファイバ保持部品にすることができる。
【０１３８】
たとえば、シリコーンゴムを用いて一体成形した本発明の光ファイバ保持部品は、小型で、適度に変形させることができ、使い勝手の良い、安価な光ファイバ保持部品となる。シリコンゴムは透明なものと青、赤、黄、緑、オレンジ、紫などの各色に着色したものを用いることができる。シリコーンゴムは、成形しやすく、通常の環境において、極めて使いやすい光ファイバ保持部品を形成することができる。本発明の光ファイバ保持部品をクロージャに用いる場合、複数の光ファイバ保持部品を重ねるなどして同一場所に配置して用いられることも多い。このような場合には、前記シリコーンゴムの色分けで各個別の光ファイバ保持部品を容易に識別することができる。従って、光ファイバ保持部品の標準化が一層進み、互換性のある、使いやすい、一層安価な光ファイバ保持部品にすることができる。
【０１３９】
また、フッ素ゴムを用いて一体成形した本発明の光ファイバ保持部品は、通常の屋内配線とは異なる、何らかの理由でアウトガスを好まない環境に晒されるような用途にも使用することができる。
【０１４０】
本発明の光ファイバ保持部品として、第１の光ファイバ収納部が２つの場合について説明したが、第１の光ファイバ収納部を３個にすることもでき、さらの増やすこともできる。
【０１４１】
第１の光ファイバ収納部として弾性体の突起と奥側の側壁で構成した例を説明したが、弾性体の突起だけで構成することもでき、収納の自由度を上げることができる。
【０１４２】
本発明の光ファイバ保持部品への光ファイバの収納方法は、前記のように、８の字形に巻回する方法に限らず、長円形に巻回する方法と、２つの第１の光ファイバ収納部のいずれか一方に巻回する方法とを適宜選択し、あるいは適宜組み合わせて行うことができ、また、第１の光ファイバと第２の光ファイバのいずれかにＳ字形のような８の字の半分の巻回を一回用いて両方の光ファイバの巻回方向を同一方向にすることもでき、第１の光ファイバと第２の光ファイバの長さの違いや、巻回方法の選択の自由、接続部部品と反対側の端部の固定の有無に関わらず、極めて広い範囲で適用することができる。
【０１４３】
請求項１に記載の第１の光ファイバ収納部のような、２つの光ファイバ収納部を、その双方を利用して光ファイバを８の字形に巻回させて保持することができる互いに隣り合ったかつ重ならない位置関係に配置されている光ファイバ収納部は、接続部部品から互いに逆方向にでている第１の光ファイバと第２の光ファイバのうちの一方の巻回方向を逆転させて、途中から双方を同じ方向に巻回させるように用いることもでき、２つの光ファイバ収納部うちの一方にのみに巻回することを利用して巻回長さ調整に利用することもできるなど、前記のように多くの効果をもたらすものである。
【０１４４】
本発明の光ファイバ保持部品は、前記光ファイバ保持部品の一方の表面の垂直上方から見た輪郭形状が楕円形もしくは長円形などの細長形状の外周部に外周部切欠がある形状にすることができる。たとえば、この外周部切欠を、互いに隣り合った少なくとも２つの前記第１の光ファイバ収納部が配置されている間の部分に対応する前記光ファイバ保持部品の外周部分に、外周形状としての窪みを有する形状に形成することができる。
【０１４５】
前記外周部切欠は、接続部部品の着脱をし易くし、また、これに限られないが、接続部部品収納部３１５と３１６の一方だけを用いるようとの場合などには、光ファイバ保持部品の外部接続部に利用することもできる。
【０１４６】
本発明の光ファイバ保持部品は、前記の説明から明らかなように、収納している光ファイバを光ファイバ保持部品の周囲の任意のところから引き出すことができ、たとえば、前記第１の光ファイバと第２の光ファイバを１本の光ファイバに限ることなく、第１の光ファイバと第２の光ファイバとして複数本の光ファイバを取り扱うことができる。たとえば、第１の光ファイバが複数の光ファイバ心線を有する光ケーブルで、第２の光ファイバが分岐された光ファイバである場合に、分岐された１本の光ファイバだけを収納することもでき、複数本の光ファイバを識別できるように収納することもできる。この収納は、１つの光ファイバ保持部品を用いてもある程度行うことができるが、複数の光ファイバ保持部品を用いて行うことができる。いずれを用いるのが好ましいかは、用途など、使用の事情による。
【０１４７】
また、記の如く、図示していないが、第１の光ファイバ収納部の中央部に設けた穴を凹凸形状にするなどして、本発明の光ファイバ保持部品の固定部として利用することができる。２枚の本発明の光ファイバ保持部品を重ねて一体化することができるように、光ファイバ保持部品の一方の側の表面では前記穴の周辺に凸部を形成し、他方の側の表面では前記穴の内側に前記凸部に対応するはめ込み部としての凹部を形成し、何段もの光ファイバ保持部品を簡単に着脱可能に重ねて実装することができる。
【産業上の利用可能性】
【０１４８】
以上説明したように、本発明の光ファイバ保持部品は、接続部部品の両側に接続された両方の光ファイバを、各光ファイバの接続部部品に接続された側とは反対側の端子が他の外部端子などに接続固定されているか否かに関わらず、また、両方の光ファイバの長さが違っていても支障なく、前記接続部部品とともに、極めて小型に収納することができ、光ファイバが不必要に光ファイバ保持部品からでてしまい取扱中に破損するような事故を防ぐことができ、光通信における本線光ケーブル相互の接続、本線光ファイバケーブルからユーザビルへの分岐光ファイバケーブルの引き込み、あるいはユーザ個人宅へのドロップ光ファイバケーブルの引き込み等のクロージャに広く使用できるものである。そして、このような用途に限らず、光ファイバの広い普及に大きく貢献するものである。
【図面の簡単な説明】
【０１４９】
【図１】本発明の実施の形態例としての光ファイバ保持部品を上から見た平面図である。
【図２】本発明の実施の形態例としての光ファイバ保持部品を上から見た平面図に説明のための線を一部書き加えた図である。
【図３】本発明の実施の形態例としての光ファイバ保持部品を図２の直線Ｙ１−Ｙ２の位置で切った断面図である。
【図４】本発明の実施の形態例としての光ファイバ保持部品を図２の直線Ｘ５−Ｘ６の位置で切った断面図である。
【図５】本発明の実施の形態例としての光ファイバ保持部品を図２の直線Ｘ３−Ｘ４の位置で切った断面図である。
【図６】本発明の実施の形態例としての光ファイバ保持部品を図１の面３０７に平行に切った断面図である。
【図７】本発明の実施の形態例としての光ファイバ保持部品の主要部分の寸法を説明する断面図である。
【図８】本発明の実施の形態例としての光ファイバ保持部品の主要部分の寸法を説明する断面図である。
【図９】本発明の実施の形態例としての光ファイバ保持部品に接続部部品とそれに接続された第１の光ファイバを収納する途中の状態を示す断面図である。
【図１０】本発明の実施の形態例としての光ファイバ保持部品を面３０７に平行に切った断面図である。
【符号の説明】
【０１５０】
３００，３００ａ：光ファイバ保持部品
３００ｘ：光ファイバ保持部品の長さ方向
３００ｙ：光ファイバ保持部品の幅方向
３００ｚ：光ファイバ保持部品の厚み方向
３０１：凹部（窪み）
３０２：凹部の側壁（弾性体の壁状構造物）
３０４，３０５：第１の光ファイバ収納部
３０４ａ，３０５ａ：第１の光ファイバ収納部の上面壁
３０４ｂ，３０４ｂ２，３０５ｂ，３０５ｂ２：弾性体の突起あるいはその形成されている位置を示す符号
３０４ｂ１，３０５ｂ１：突起３０４ｂ，３０５ｂが配置されている位置を説明する円周
３０４ｃ，３０５ｃ：第１の光ファイバ収納部が形成されている位置を示す線あるいは光ファイバ収納部の開口部から見て奥の内壁
３０４ｄ，３０５ｄ：穴
３０４ｅ，３０５ｅ：第１の光ファイバ収納部の上面壁の外側を示す線
３０４ｆ，３０５ｆ：光ファイバ保持部品の裏面を示す線
３０４ｘ，３０５ｘ：第１の光ファイバ収納部の下面（底面）
３０４ｙ：光ファイバ保持部品の肉部
３０７：第１の光ファイバ収納部の下面と同じ高さの面
３０９：第１の光ファイバ収納部の開口部
３１０：光ファイバ保持部品の一方の表面側
３１０ａ：光ファイバ保持部品の側面側
３１０ｂ：光ファイバ保持部品の一方の特定面側
３１５，３１６：接続部部品収納部
３１５ｂ，３１６ｂ：接続部部品収納部の側壁
３２０：接続部部品
３２１，３２２：矢印
３２３：第１の光ファイバ
３２５：第２の光ファイバ
Ｗ１〜Ｗ４，ｔ１〜ｔ６，φ１〜φ５：寸法を説明する記号
【図１】
2005338535.tif 000003
【図２】
2005338535.tif 000004
【図３】
2005338535.tif 000005
【図４】
2005338535.tif 000006
【図５】
2005338535.tif 000007
【図６】
2005338535.tif 000008
【図７】
2005338535.tif 000009
【図８】
2005338535.tif 000010
【図９】
2005338535.tif 000011
【図１０】
2005338535.tif 000012